(57)【要約】【課題】デザイン性が高く支配される外装部品の部材設計などに対し、自動または半自動で設計が容易かつ確実にできる３次元ＣＡＤ設計用のプログラムを提供することを目的とするものである。【解決手段】製品における構成部位が同一あるいは類似で複数ある場合、その基礎要素をコンピュータに認識させ、自動あるいは半自動で構成部位を構成作成する操作作業ができ、また複数の部品部材で構成されている製品で、その基礎要素をコンピュータに認識させ、アセンブリ構造をとりながら、機能部位を操作作業し構成作成することができる３次元ＣＡＤ設計用のプログラムとする。【選択図】図１
2007115092.tif 000002
【特許請求の範囲】
【請求項１】
複数の同一あるいは類似の構成部位を有する製品において、前記構成部位の基礎要素をコンピュータに認識させる手段と、前記構成部位を自動あるいは半自動で構成作成する操作手段と、操作作業を繰り返し行う演算処理手段を備えてなる３次元ＣＡＤ設計用のプログラム。
【請求項２】
設計変更しうる基礎ガイドラインを入力してコンピュータに認識させる基本情報入力部と、基礎すなわちベースとなる各々の部品部材形状をコンピュータに認識させる部品ベースの認識部でなる構成部位の基礎要素をコンピュータに認識させる手段と、前記基本情報入力部で認識させた基礎ガイドラインをベースとし、前記部品ベースの認識部に付加する部位を構成する要素を構成作成する加算の処理である部品部材のツール形状Ｉ作成部、そして減算の処理である部品部材のツール形状II作成部でなる自動あるいは半自動で構成作成する操作手段と、前記部品ベースの認識部の本体におけるブーリアン演算を行う部品部材のブーリアン演算部でなる演算処理手段からなる請求項１に記載の３次元ＣＡＤ設計用のプログラム。
【請求項３】
複数の部品部材を有する製品において、前記部品部材の基礎要素をコンピュータに認識させる手段と、アセンブル構造を取り、かつ自動あるいは半自動で機能部位を構成作成する操作手段を付加してなる請求項１又は請求項２に記載の３次元ＣＡＤ設計用のプログラム。
【発明の詳細な説明】
【技術分野】
【０００１】
本発明は、各種製品における類似の構成部位などを繰返し自動あるいは半自動で構成作成ができる３次元ＣＡＤ設計用のプログラムに関するものである。
【背景技術】
【０００２】
従来におけるこの種の３次元ＣＡＤによる製品設計としては、一つの部品部材の中にある要素で、同一の形状に限って１つ形状を構成作成し規則的に配列コピーし、その製品本体形状に対し各々部位を構成していた。
【０００３】
例えば、前記部位の形状が完全に同一形状の場合には、３次元ＣＡＤにおけるマクロ機能を活用し、その部位の構造に対応してプログラムを作ることができる。
【０００４】
このとき、大きさが異なると配列コピーを行うことができず、また部位の形状が同じ操作作業を繰り返し、しかも２つ以上の部品を構成して作成するときには、それぞれの部品の同じ位置に対し同様の演算を繰り返し、付加させていかなければならず、その形状が複雑になればなるほど、その編集操作作業が増大し、さらに、設計変更や新製品を設計する毎に同様の操作作業を繰り返し行うものであった。
【０００５】
なお、この出願に関する先行技術文献情報としては、例えば、特許文献１が知られている。
【特許文献１】特開２００２−２５１４１９号公報
【発明の開示】
【発明が解決しようとする課題】
【０００６】
しかしながら、各種製品はデザイン性の観点から外観形状などを特定することが難しく、設計の標準化や各部位をライブラリとして構築することができず、仮に同一形状を配列コピーできる形状を有してプログラムを作成できたとしても、別の製品になるとそのプログラムを活用することが困難であり、また複数の部品部材を組合せる製品を設計する場合には、それぞれの部品部材がどのように計算されるのか、３次元ＣＡＤシステムで認識させる必要があるという課題を有していた。
【０００７】
本発明は、前記課題を解決しようとするものであり、デザイン性が高く支配される外装部品の部材設計などに対し、自動または半自動の設計が容易かつ確実にできる３次元ＣＡＤ設計用のプログラムを提供することを目的とするものである。
【課題を解決するための手段】
【０００８】
前記目的を達成するために、本発明は以下の構成を有するものである。
【０００９】
本発明の請求項１に記載の発明は、特に、複数の同一あるいは類似の構成部位を有する製品において、前記構成部位の基礎要素をコンピュータに認識させる手段と、前記構成部位を自動あるいは半自動で構成作成する操作手段と、操作作業を繰り返し行う演算処理手段を備えてなる構成であり、これにより、各種製品における外観形状などを特定あるいは設定することができ、自動または半自動による設計が容易かつ確実にできる３次元ＣＡＤ設計用のプログラムを提供できるという作用効果を有する。
【００１０】
本発明の請求項２に記載の発明は、特に、設計変更しうる基礎ガイドラインを入力してコンピュータに認識させる基本情報入力部と、基礎すなわちベースとなる各々の部品部材形状をコンピュータに認識させる部品ベースの認識部でなる構成部位の基礎要素をコンピュータに認識させる手段と、前記基本情報入力部で認識させた基礎ガイドラインをベースとし、前記部品ベースの認識部に付加する部位を構成する要素を構成作成する加算の処理である部品部材のツール形状Ｉ作成部、そして減算の処理である部品部材のツール形状II作成部でなる自動あるいは半自動で構成作成する操作手段と、前記部品ベースの認識部の本体におけるブーリアン演算を行う部品部材のブーリアン演算部でなる演算処理手段とからなる構成であり、これにより、各種製品における外観形状などを特定あるいは設定することができ、設計の標準化や各部位をライブラリとして容易に構築でき、自動または半自動による設計が容易かつ確実にできる３次元ＣＡＤ設計用のプログラムを提供できるという作用効果を有する。
【００１１】
本発明の請求項３に記載の発明は、特に、複数の部品部材を有する製品において、前記部品部材の基礎要素をコンピュータに認識させる手段と、アセンブル構造を取り、かつ自動あるいは半自動で機能部位を構成作成する操作手段を付加した構成であり、これにより、請求項２に記載の作用効果に加えて、より複雑な構成製品に対しても、自動または半自動により設計が容易かつ確実にできるという作用効果を有する。
【発明の効果】
【００１２】
本発明の３次元ＣＡＤ設計用のプログラムは、製品における構成部位が同一あるいは類似で複数ある場合、その基礎要素をコンピュータに認識させ、自動あるいは半自動で構成部位を構成作成する操作作業ができ、また複数の部品部材で構成されている製品で、その基礎要素をコンピュータに認識させ、アセンブリ構造をとりながら、機能部位を構成し作成することができる構成のプログラムであり、デザインが変化しても求める製品の３次元設計が、自動または半自動により、短期間で、容易かつ確実に設計することができるという効果を有する。
【発明を実施するための最良の形態】
【００１３】
以下、実施の形態を用いて、本発明の特に請求項１〜３に記載の発明について図面を参照しながら説明する。
【００１４】
図１は、本発明の実施の形態における３次元ＣＡＤ設計用のプログラムのフローチャート、図２は同基礎ラインの概要平面図、図３は同製品要部の概要断面図、図４は同ツール形状Ｉの作成における製品要部の概要断面図、図５は同ツール形状IIの作成における製品要部の概要断面図、図６は同ブーリアン演算による製品要部の概要断面図、そして図７は同アセンブル製品要部の概要断面図である。
【００１５】
図１において、構成部位の基礎要素をコンピュータに認識させる手段であるところの基本情報入力部１は、設計変更しうる基礎ガイドラインを入力し、例えば図２に示すようにコンピュータに認識させるものであり、同じく部品ベースの認識部２にて基礎すなわちベースとなる各々の部品部材形状（ベースボディ）を、例えば図３に示すようにコンピュータに認識させる。
【００１６】
自動あるいは半自動で構成し作成する操作手段であるところの加算の処理である部品部材Ａのツール形状Ｉの作成部３、そして減算の処理である部品部材Ａのツール形状IIの作成部４は、前記基本情報入力部１で認識させた基礎ガイドラインをベースとして、前記部品ベースの認識部２に付加する部位を構成する要素を、例えば図４あるいは図５に示すように構成作成する。
【００１７】
同じく、自動あるいは半自動で構成作成する操作手段であるところの部品部材Ａのツール形状Ｉの作成部３と部品部材Ａのツール形状IIの作成部４は、必要に応じて、あらかじめ保存している製品構成部位のライブラリ７のデータベースを用いて、前記部品ベースの認識部２に付加する構成部位を構成作成する。
【００１８】
演算処理手段であるところの部品部材Ａのブーリアン演算部５は、前記部品ベースの認識部２の本体におけるブーリアン演算、すなわち“部品ベースの認識部２＋部品部材Ａのツール形状Ｉの作成部３”、あるいは“部品ベースの認識部２−部品部材Ａのツール形状IIの作成部４”を行う。
【００１９】
なお製品の構成や形状によっては前記の順番が入れ替わることもあり、さらに製品形状が複雑になれば、例えば図６に示すように、部品部材Ａのツール形状Ｉの作成部３から部品部材Ａのブーリアン演算部５までの操作作業を繰り返し実行する。
【００２０】
さて、図１における演算処理手段であるところのアセンブリ部品部材の演算部６は、部品部材Ａのツール形状Ｉの作成部３から部品部材Ａのブーリアン演算部５までの動作（操作作業）と同じであり、複数の部品部材による組合せで構成される製品に対して、前記で説明した手順をさらに部品部材Ｂ、部品部材Ｃに対しても繰り返し動作（操作作業）させるのである。
【００２１】
基本情報入力部１に対し、例えば図７に示すように一定のオフセットを実施した部位を構成作成し、部品部材Ｂと部品部材Ａのブーリアン演算部５にて所定処理を行うものであり、このとき、部品部材Ａ、部品部材Ｂ、部品部材Ｃなどは３次元ＣＡＤにおけるアセンブリの必要な拘束を有し、相互の部位に対してもその関係を保持することができるし、また、必要に応じて前記の関係を解除することもできるのである。
【００２２】
以上本発明は、例えば、部位の断面構成や外観形状が同等で平面の輪郭形状などが異なる構造を有する部品部材の場合、前記平面の輪郭形状ラインを認識させ、輪郭形状ラインを基準にし、各部位の構造に対応して形状を構成作成することができるものである。
【００２３】
また、複数の部品部材で構成されている製品設計においては、例えば、上ケースはどれか下ケースはどれかなど、対話形式でその部品部材を認識させ、その構成作成した部位に対して、部品部材に加算あるいは減算したりして部品部材を設計できるようにプログラム化するものである。
【００２４】
さらにまた、アセンブリした部品部材に対し、それぞれ識別ができる名前や符号を付加し、プログラムを実行する際にその名前や符号に対応して、その構成作成した部位に対して、部品部材に加算あるいは減算したりして部品部材を設計することができるようにプログラム化するものである。
【産業上の利用可能性】
【００２５】
本発明にかかる３次元ＣＡＤ設計用のプログラムは、デザインが変化しても求める製品の３次元設計が、自動または半自動により、短期間で、容易かつ確実に設計することができるという効果を有し、デザインが変化しても求める製品の３次元設計が非常に短期間で、必要な類似の構成部位に対し繰返し自動作成を必要とする各種の３次元ＣＡＤ設計用のプログラムなどの用途として適用できる。
【図面の簡単な説明】
【００２６】
【図１】本発明の実施の形態における３次元ＣＡＤ設計用のプログラムのフローチャート
【図２】同基礎ラインの概要平面図
【図３】同製品要部の概要断面図
【図４】同ツール形状Ｉの作成における製品要部の概要断面図
【図５】同ツール形状IIの作成における製品要部の概要断面図
【図６】同ブーリアン演算による製品要部の概要断面図
【図７】同アセンブル製品要部の概要断面図
【符号の説明】
【００２７】
１  基本情報入力部
２  部品部材ベースの認識部
３  部品部材Ａのツール形状Ｉの作成部（加算）
４  部品部材Ａのツール形状IIの作成部（減算）
５  部品部材Ａのブーリアン演算部
６  アセンブリ部品部材の演算部
７  製品構成部位のライブラリ
【図１】
2007115092.tif 000003
【図２】
2007115092.tif 000004
【図３】
2007115092.tif 000005
【図４】
2007115092.tif 000006
【図５】
2007115092.tif 000007
【図６】
2007115092.tif 000008
【図７】
2007115092.tif 000009